(57)【要約】      （修正有）【課題】フラワーアレンジメントを作成するための高度な知識がなくても、フラワー部品を、フラワーアレンジメントの土台ベース上に配置していくだけで、子供からお年寄りまで誰でも簡単に綺麗なフラワーアレンジメントを気軽に作成できるようにするフラワーアレンジメント作成キットを提供する。【解決手段】花、葉、茎その他植物を模した人工物４又はブリザーブドフラワーその他の花材に吸着部材を取りつけた少なくとも１つ以上のフラワー部品５と、前記吸着部材を吸着する素材を少なくとも一部分に含むフラワーアレンジメントの土台ベース２、とからフラワーアレンジメント作成キットを形成する。【選択図】図２
0003178410.tif 000002
【実用新案登録請求の範囲】
【請求項１】
フラワーアレンジメントを作成するためのキットであって、花、葉、茎その他植物を模した人工物又はブリザーブドフラワーその他の花材に吸着部材を取りつけた少なくとも1つ以上のフラワー部品と、前記吸着部材を吸着する素材を少なくとも一部分に含むフラワーアレンジメントの土台ベース、からなるフワラーアレンジメント作成キット。
【請求項２】
少なくとも１つ以上の指定マークが印刷された前記フラワー部品と、前記指定マークと対応した指定マークが印刷されている前記フラワーアレンジメントの土台ベースからなる請求項１に記載のフラワーアレンジメント作成キット。
【請求項３】
少なくとも１つ以上の指定マークが印刷された前記フラワー部品と、前記フラワーアレンジメントの土台ベースからなる請求項１に記載のフラワーアレンジメント作成キット。
【請求項４】
前記フラワー部品と、少なくとも１つ以上の指定マークが印刷された前記フラワーアレンジメントの土台ベースからなる、請求項１に記載のフラワーアレンジメント作成キット。
【請求項５】
少なくとも１つ以上の指定マークが貼付された前記フラワー部品と、前記指定マークと対応した指定マークが貼付されている前記フラワーアレンジメントの土台ベースからなる請求項１に記載のフラワーアレンジメント作成キット。
【請求項６】
少なくとも１つ以上の指定マークが貼付された前記フラワー部品と、前記フラワーアレンジメントの土台ベースからなる請求項１に記載のフラワーアレンジメント作成キット。
【請求項７】
前記フラワー部品と、少なくとも１つ以上の指定マークが貼付された前記フラワーアレンジメントの土台ベースからなる、請求項１に記載のフラワーアレンジメント作成キット。
【請求項８】
前記フラワーアレンジメントの土台ベースの形状は少なくとも１つのドーム形状、三日月形状、四角錐形状、円錐形状、円柱形状のいずれかを含むことを特徴とする請求項１から請求項７のいずれかに記載のフラワーアレンジメント作成キット。
【請求項９】
前記フラワーアレンジメントの土台ベースの形状は凹凸を含む形状であることを特徴とする請求項１から請求項８のいずれかに記載のフラワーアレンジメント作成キット。
【請求項１０】
前記フラワーアレンジメントの土台ベースはネット状（網目状）になっていることを特徴とする請求項１から請求項９いずれかに記載のフラワーアレンジメント作成キット。
【請求項１１】
前記フラワーアレンジメントの土台ベースは、凹状の器と、前記器の内側に入れられた複数の球体物と、前記器の上側を覆うドーム形状物、からなることを特徴とする請求項１から請求項１０のいずれかに記載のフラワーアレンジメント作成キット。
【請求項１２】
前記フラワーアレンジメントの土台ベースは、凹状の器と、前記器の内側に入れられた複数の球体物と、前記器の内側に入れられた小型照明具と、前記器の上側を覆うドーム形状物、からなることを特徴とする請求項１から請求項１１のいずれかに記載のフラワーアレンジメント作成キット。
【請求項１３】
前記フラワー部品に取り付けられた吸着部材はマグネットであることを特徴とした請求項１から請求項１２のいずれかに記載のフラワーアレンジメント作成キット。
【請求項１４】
前記フラワー部品の吸着部材としてマグネットが取り付けられており、前記フラワーアレンジメントの土台ベースはマグネットを吸着する素材を少なくとも一部分に含んでいることを特徴とする請求項１から請求項１３のいずれかに記載のフラワーアレンジメント作成キット。
【請求項１５】
前記フラワーアレンジメントの土台ベースはマグネットが少なくとも一部に取り付けられており、前記フラワー部品には少なくとも一部にマグネットに吸着する素材を含んでいることを特徴とする請求項１から請求項１４のいずれかに記載のフラワーアレンジメント作成キット。
【請求項１６】
前記フラワーアレンジメントの土台ベースと、前記フラワー部品の、いずれか一方には、少なくとも一部分にマグネットが取り付けられており、他方にはマグネットに吸着する素材を少なくとも一部に含んでいることを特徴とする請求項１から請求項１５いずれかに記載のフラワーアレンジメント作成キット。
【請求項１７】
前記フラワーアレンジメントの土台ベースと、前記フラワー部品の、いずれか一方には少なくとも一部分に面ファスナーが含まれており、他方には前記面ファスナーと吸着可能な面ファスナーを少なくとも一部に含んでいることを特徴とする請求項１から請求項１６のいずれかに記載のフラワーアレンジメント作成キット。
【請求項１８】
前記フラワーアレンジメントの土台ベースと、前記フラワー部品の、少なくとも一方には、少なくとも一部に粘着テープ又はシールを含んでいることを特徴とする請求項１から請求項１７のいずれかに記載のフラワーアレンジメント作成キット。
【考案の詳細な説明】
【技術分野】
【０００１】
本考案は、子供からお年寄りまで、誰でも簡単にプロ並みのフラワーアレンジメントが作成でき、かつ、花の組み合わせや配置を替えれば１つの作成キットから複数の種類のアレンジを作成でき、手を汚さず生ごみを出さず何度でも使えるエコロジカルなフラワーアレンジメント作成キットに関する。
【背景技術】
【０００２】
フラワーアレンジメントは、一般的に、生花を用いて、吸水スポンジ等に生花を挿して生花を配置し形成される。生花をバランスよく綺麗に配置するには熟練した技術と高度な知識と色彩感覚を必要とする。フラワーアレンジメントは、一般的に、生花を使用するため、できあがったフラワーアレンジメントは日持ちがせず、完成したフラワーアレンジを楽しめる期間が限られており、花が枯れてしまった時には大量のゴミが出るという問題があった。また、別のフラワーアレンジを作成するためには、新しい生花を購入しなければならず、フラワーアレンジメントの土台の吸水スポンジも再利用できないため新たに購入する必要があり、費用がかかるという問題もあった。さらに、アレンジ作成時に生花と水と扱うため、手が汚れたり荒れたりするデメリットがあり、水の扱いに注意が必要なことから、アレンジを行う場所が限られ、入院中の患者がベッドの上で行ったり、幼い子供やお年寄りが場所を選ばずにフラワーアレンジメントを作成することは難しいという問題があった。
【０００３】
特許文献１は、金属の線材や網材、樹脂材で、花器に適合し、花を挿花するように形成したフレーム（骨格）に、被覆したワイヤーをフレームの内外に張り巡らせたフラワーアレンジメント花止めである。特許文献２は、吸水材のみで構成される保持ブロックに、複数の形状の窪みである位置マークにを形成し、多数の花材を前記位置マークに挿し込んで配置保持するフラワーアレンジメント法を開示している。
【先行技術文献】
【特許文献】
【０００４】
【特許文献１】特開２０１２−６６０４２号公報
【特許文献２】特開２０１０−５７６７５号公報
【考案の概要】
【考案が解決しようとする課題】
【０００５】
しかしながら、特許文献１のフラワーアレンジメント花止めは、生花をワイヤーとワイヤーの間に挿入して保持するものであり、花止め自体は繰り返し使用できるが、生花は、そのつど取り替える必要があるので、使用後に枯れた花という廃棄物が生じるとともに、生花の配置等のアレンジの構成にはセンスや専門知識が必要で水の扱いも必要なため、誰でも気軽に、場所を選ばずに楽しめるというものではない。特許文献２のフラワーアレンジメント法によれば、アレンジ作成時の困難さという問題は解決し、誰でも容易にフラワーアレンジメントが楽しるようになっているが、使用後に枯れた花という廃棄物が生じ、フラワーアレンジメントに供される吸水スポンジは一度花材を挿すと、穴が広がり戻らないため、使い捨てとなり、吸水スポンジの廃棄物も生じるという問題は解決していない。また、吸水スポンジに位置マークを付すには、様々な断面になるように成形した棒状物を吸水スポンジに押しあててマークを成形する必要があり、吸水スポンジの作成に手間とコストがかかる。また、フラワーアレンジメントが完成し、新たに別のアレンジを作成する際は、新たな生花及び吸水スポンジの購入をしなければならず費用がかかる。さらに、アレンジの際には生花と水を使用するために手が汚れたり水の取り扱いに注意が必要なので入院中のお年寄りや病室のベッドの上でアレンジを楽しんだり、幼い子供が一人でアレンジを行うことは難しいという問題があった。
【０００６】
そこで本考案は、上述した課題に鑑み、生花を用いず、花、葉、茎その他植物を模した人工物又はブリザーブドフラワーその他の花材に吸着部材を取りつけた少なくとも1つ以上のフラワー部品と、前記吸着部材を吸着する素材を少なくとも一部に含むフラワーアレンジメントの土台ベースを用いることによって、手を汚さず、水を取り扱う必要もなく、生ゴミ（廃棄物）を出さず無駄なく何度でも繰り返し使えるフラワーアレンジメント作成キットを提供する。本考案のフラワーアレンジメント作成キットは、フラワーアレンジメントを作成するための高度な知識がなくても、フラワー部品を、フラワーアレンジメントの土台ベース上に配置していくだけで、子供からお年寄りまで誰でも簡単に綺麗なフラワーアレンジメントを気軽に作成できる。生花ではなく吸着部材を取り付けたフラワー部品を用いることによって、使用後に枯れた花等の廃棄物を出さず、何度でも繰り返し使えるので、フラワーアレンジメント作成の練習用に最適である。また、フラワー部品の組み合わせを替えるだけで、ひとつのフラワーアレンジメント作成キットから、たくさんの種類のフラワーアレンジメントを作成することができので、季節に合わせて、また、気分に合わせて、様々なフラワーアレンジメントを簡単に作成することができる。
【課題を解決するための手段】
【０００７】
本考案のフラワーアレンジメント作成キットは、花、葉、茎その他植物を模した人工物又はブリザーブドフラワーその他の花材に吸着部材を取りつけた少なくとも1つ以上のフラワー部品と、前記吸着部材を吸着するフラワーアレンジメントの土台ベース、からなることを特徴とする。
【０００８】
この考案によれば、花、葉、茎その他植物を模した人工物又はブリザーブドフラワーその他の花材に吸着部材を取りつけた少なくとも1つ以上のフラワー部品を、前記吸着部材を吸着する素材を少なくとも一部分に含むフラワーアレンジメント用の土台ベースに吸着させていくことによって、簡単に、かつ、手を汚すことなく、誰でも手軽に、綺麗なフラワーアレンジメントを作成することができる。生花を使わないので手を汚すことがなく、土台ベースも、配置するフラワー部品も何度でも繰り返し使えて、生花や水の扱いが不要なため、場所を選ばずにフラワーアレンジメントを作成できる。入院中の患者がベッドの上で気分転換にフラワーアレンジメント作成を楽しんだり、施設に入所中のお年寄りが指先のリハビリとして行ったり、幼稚園や幼児教室等で幼い子供が色彩教育の一環で行ったり、様々な場面で気軽にフラワーアレンジメントを楽しむことができる。
【０００９】
また、本考案にかかるフラワーアレンジメント作成キットは、少なくとも１つ以上の指定マークが印刷された前記フラワー部品と、前記指定マークと対応した指定マークが印刷されている前記フラワーアレンジメントの土台ベースからなることを特徴とする。
【００１０】
この考案によれば、土台ベースの表面に印刷された指定マークを確認し、前記指定マークと対応した指定マークが付されたフラワー部品を土台ベースの前記指定マーク印刷部分に配置するという作業を繰り返すことによって、高度な知識がなくても誰でも簡単かつ迅速に、綺麗なフラワーアレンジメントを作成することができる。
ここで、指定マークとは、ランダムに付された位置を示すマーク、記号、文字、数字の配列その他の目印のほか、メモリや罫線のように一定間隔で刻まれたものも含む。また、印刷とは、フラワーアレンジメントの土台ベースに直接、指定マークを印刷するほか、指定マークが印刷された紙やシートを付したり、様々な色付けにより指定したり、手書きで記しても良く、指定マークを土台ベース上で視覚により確認できる状態にすることを指す。
指定マークは、穴を形成したり刻印したりする必要がないので特別な器具を要さず簡単につけられ、また、指定マークの場所を自由に変更でき、指定マーク作成に要するコストもわずかで済む。
【００１１】
また、本考案にかかるフラワーアレンジメント作成キットの前記フラワーアレンジメントの土台ベースには、少なくとも１つ以上の指定マークが印刷されていることを特徴とする。
【００１２】
この考案によれば、土台ベースの表面に付された指定マークを確認し、フラワー部品を土台ベースに配置するという作業を繰り返すことによって、高度な知識がなくても誰でも簡単かつ迅速に、綺麗なフラワーアレンジメントを作成することができる。さらに水を使わず、手を汚すことがなく何度でも繰り返し使えて無駄がなく、生ゴミを出さないのでエコロジカルであり、場所を選ばずにどこでも気軽にフラワーアレンジメントを作成できる。
【００１３】
土台ベースに印刷された指定マークに、どのフラワー部品を配置するかは、フラワーアレンジメント作成キットの説明書によって指定しても良い。また、自分で自由にアレンジメントを作成した場合に、フラワー部品を土台ベースのどの指定マーク部分にフラワー部品を配置したかを書き留めておけば、後日、同じアレンジを再現したり、他の人に教授したりすることができる。
【００１４】
また、本考案にかかるフラワーアレンジメント作成キットの前記フラワー部品には、少なくとも１つ以上の指定マークが印刷されていることを特徴とする。
【００１５】
この考案によれば前記フラワー部品に印刷された指定マークを確認し、前記フラワーアレンジメントの土台ベースに配置するという作業を繰り返すことによって、高度な知識がなくても誰でも簡単かつ迅速に、綺麗なフラワーアレンジメントを作成することができる。さらに水を使わず、手を汚すことがなく何度でも繰り返し使えて無駄がなく、生ゴミを出さないのでエコロジカルであり、場所を選ばずにどこでも気軽にフラワーアレンジメントを作成できる。
【００１６】
土台ベースに、どのようにフラワー部品を配置するかは、フラワーアレンジメント作成キットの説明書に従って配置していっても良い。また、自分で自由にアレンジメントを作成した後で、土台ベースのどの位置にどのフラワー部品を配置したかを土台ベースやメモ等に書き留めておけば、後日、同じアレンジを再現したり、他の人に教授したりすることができる。
【００１７】
また、本考案にかかるフラワーアレンジメント作成キットは、少なくとも１つ以上の指定マークが貼付された前記フラワー部品と、前記指定マークと対応した指定マークが貼付されている前記フラワーアレンジメントの土台ベースからなる。
【００１８】
この考案によれば前記フラワー部品に貼付された指定マークを確認し、前記フラワーアレンジメントの土台ベースに貼付された指定マークのある場所に配置するという作業を繰り返すことによって、高度な知識がなくても誰でも簡単かつ迅速に、綺麗なフラワーアレンジメントを作成することができる。さらに水を使わず、手を汚すことがなく何度でも繰り返し使えて無駄がなく、生ゴミを出さないのでエコロジカルであり、場所を選ばずにどこでも気軽にフラワーアレンジメントを作成できる。
【００１９】
土台ベースに、どのようにフラワー部品を配置するかは、フラワーアレンジメント作成キットの説明書に従って配置していっても良い。また、自分で自由にアレンジメントを作成した場合に、土台ベースのどの指定マーク部分にどの指定マークのフラワー部品を配置したかを書き留めておけば、後日、同じアレンジを再現したり、他の人に教授したりすることができる。
【００２０】
ここで、貼付とは、フラワーアレンジメントの土台ベースに、指定マークを印字しシールや粘着テープを貼付するほか、記号や符号の形を模したシールその他を貼付しても良く、手書きで記しても良く、様々な色付けにより指定しても良い。
指定マークは、特別な器具を要さず簡単につけられ、また、穴を形成したり刻印したりする必要がないので指定マークの場所を自由に変更でき、作成に要するコストもわずかで済む。
【００２１】
また、本考案にかかるフラワーアレンジメント作成キットは、少なくとも１つ以上の指定マークが貼付された前記フラワー部品と、前記フラワーアレンジメントの土台ベースからなる。
【００２２】
この考案によれば前記フラワー部品に貼付された指定マークを確認し、前記フラワーアレンジメントの土台ベースに配置するという作業を繰り返すことによって、高度な知識がなくても誰でも簡単かつ迅速に、綺麗なフラワーアレンジメントを作成することができる。さらに水を使わず、手を汚すことがなく何度でも繰り返し使えて無駄がなく、生ゴミを出さないのでエコロジカルであり、場所を選ばずにどこでも気軽にフラワーアレンジメントを作成できる。
土台ベースに、どのようにフラワー部品を配置するかは、フラワーアレンジメント作成キットの説明書に従って配置していっても良い。また、自分で自由にアレンジメントを作成した場合、土台ベースのどの位置にどのフラワー部品を配置したかを土台ベースに書き留めておけば、後日、同じアレンジを再現したり、他の人に教授したりすることができる。
【００２３】
また、本考案にかかるフラワーアレンジメント作成キットは、前記フラワー部品と、少なくとも１つ以上の指定マークが貼付された前記フラワーアレンジメントの土台ベースからなることを特徴とする。
【００２４】
この考案によれば前記フラワーアレンジメントの土台ベースにに貼付された指定マークを確認し、前記フラワー部品を配置するという作業を繰り返すことによって、高度な知識がなくても誰でも簡単かつ迅速に、綺麗なフラワーアレンジメントを作成することができる。さらに水を使わず、手を汚すことがなく何度でも繰り返し使えて無駄がなく、生ゴミを出さないのでエコロジカルであり、場所を選ばずにどこでも気軽にフラワーアレンジメントを作成できる。
【００２５】
土台ベースに、どのようにフラワー部品を配置するかは、フラワーアレンジメント作成キットの説明書に従って配置していっても良い。また、自分で自由にアレンジメントを作成した後で場合、土台ベースのどの位置にどのフラワー部品を配置したかをフラワー部品やメモ等に書き留めておけば、後日、同じアレンジを再現したり、他の人に教授したりすることができる。
【００２６】
また、本考案にかかるフラワーアレンジメント作成キットの土台ベースの形状は少なくとも１つのドーム形状、三日月形状、四角錐形状、円錐形状、円柱形状のいずれかを含むことを特徴とする。
【００２７】
この考案によれば、前記フラワー部品を様々な形状の土台ベースに吸着させていくことにより、立体的で、かつ、どの方向から見ても綺麗なフラワーアレンジメントを簡単に作成することができる。また、生花を使わないので手を汚すことがなく何度でも繰り返し使え、さらに水の扱いも不要なため、場所を選ばずにフラワーアレンジメントを作成できる。
【００２８】
また、本考案に係るフラワーアレンジメント作成キットの前記フラワーアレンジメントの土台ベースの形状は凹凸を含む形状であることを特徴とする。
【００２９】
この考案によれば、前記フラワー部品を凹凸を含む形状の土台ベースに吸着させていくことによって、より、立体的で、かつ、どの方向からでも楽しめるフラワーアレンジメントを簡単に作成することができる。また、生花を使わないので手を汚すことがなく何度でも繰り返し使え、さらに水の扱いも不要なため、場所を選ばずにフラワーアレンジメントを作成できる。
【００３０】
また、本考案のフラワーアレンジメント作成キットの前記フラワーアレンジメントの土台ベースはネット状（網目状）になっていることを特徴とする。
【００３１】
この考案によれば、フラワー部品を土台ベースに簡単に吸着させることができ、かつ、長い茎を持つ植物を模した人工物その他を土台ベースの網目状の間隙から挿入して配置保持することができ、簡単かつ綺麗に立体的で美しいフラワーアレンジメントを作成することができる。また、生花を使わないので手を汚すことがなく何度でも繰り返し使え、さらに水の扱いも不要なため、場所を選ばずにフラワーアレンジメントを作成できる。茎を挿入し固定するのに力を必要としないため、子供からお年寄りまで誰でも簡単にフラワーアレンジメントを作成することができる。
【００３２】
また、本考案にかかるフラワーアレンジメント作成キットの前記フラワーアレンジメントの土台ベースは、凹状の器と、前記器の内側に入れられた複数の球体物と、前記器の上側を覆うドーム形状物、からなることを特徴とする
【００３３】
この考案によれば、フラワー部品を取りつけたものを土台ベースに簡単に吸着させることができ、かつ、長い茎を持つ植物を模した人工物その他を土台ベースに設けた穴や土台ベースと凹状の器との間隙から中に挿して、前記凹状の器の中にある球体と球体の隙間で保持することができるので、簡単に、かつ、綺麗にフラワーアレンジメントを作成することができる。また、生花を使わないので手を汚すことがなく何度でも繰り返し使え、さらに水の扱いも不要なため、場所を選ばずにフラワーアレンジメントを作成できる。茎を挿入し保持するのに力を必要としないため、子供からお年寄りまで誰でも簡単にフラワーアレンジメントを作成することができる。
【００３４】
また、本考案のフラワーアレンジメント作成キットの前記フラワーアレンジメントの土台ベースは、凹状の器と、前記器の内側に入れられた複数の球体物と、前記器の内側に入れられた小型照明具と、前記器の上側を覆うドーム形状物、からなることを特徴とする。
【００３５】
この発明によれば、前記フラワー部品を土台ベースに簡単に吸着させることができ、かつ、長い茎を持つ植物を模した人工物その他を土台ベースに設けた穴や土台ベースと凹状の器との間隙から中に挿して、前記凹状の器の中にある球体と球体の隙間で保持することができるので、簡単に、かつ、綺麗にフラワーアレンジメントを作成することができ、また、前記凹状の器の中に入れた小型照明具を点灯させることにより、幻想的な視覚効果を生じ、インテリアとしても最適な、綺麗なフラワーアレンジメントを簡単に作成することができる。
【００３６】
また、本考案にかかるフラワーアレンジンメント作成キットの前記フラワー部品には吸着部材としてマグネットが取り付けられていることを特徴とする。
【００３７】
この考案によれば、前記フラワー部品を土台ベースに簡単に吸着させることができるので、立体的かつ綺麗なフラワーアレンジメントを簡単に作成することができる。また、生花を使わないので手を汚すことがなく何度でも繰り返し使え、さらに水の扱いも不要なため、場所を選ばずにフラワーアレンジメントを作成できる。茎を挿入し固定するのに力を必要としないため、子供からお年寄りまで誰でも簡単にフラワーアレンジメントを作成することができる。
【００３８】
また、本考案にかかるフラワーアレンジメント作成キットの前記フラワー部品には吸着部材としてマグネットが取り付けられており、前記フラワーアレンジメントの土台ベースはマグネットを吸着する素材を少なくとも一部分に含んでいることを特徴とする。
【００３９】
この考案によれば、前記フラワー部品を土台ベースに簡単に吸着させることができるので、立体的かつ綺麗なフラワーアレンジメントを簡単に作成することができる。また、生花を使わないので手を汚すことがなく何度でも繰り返し使え、さらに水の扱いも不要なため、場所を選ばずにフラワーアレンジメントを作成できる。また、フラワー部品を吸着させていく際に力を必要としないため、子供からお年寄りまで誰でも簡単にフラワーアレンジメントを作成することができる。
【００４０】
また、本考案にかかるフラワーアレンジメント作成キットの前記フラワーアレンジメントの土台ベースはマグネットが少なくとも一部に取り付けられており、前記フラワー部品にはマグネットに吸着する素材を少なくとも一部に含んでいることを特徴とする。
【００４１】
この考案によれば、前記フラワー部品を土台ベースに簡単に吸着させることができるので、立体的かつ綺麗なフラワーアレンジメントを簡単に作成することができる。また、生花を使わないので手を汚すことがなく何度でも繰り返し使え、さらに水の扱いも不要なため、場所を選ばずにフラワーアレンジメントを作成できる。また、フラワー部品を吸着させていく際に力を必要としないため、子供からお年寄りまで誰でも簡単にフラワーアレンジメントを作成することができる。
【００４２】
また、本考案にかかるフラワーアレンジメント作成キットの前記フラワーアレンジメントの土台ベースと、前記フラワー部品の、いずれか一方には少なくとも一部分にマグネットが取り付けられており、他方にはマグネットに吸着する素材を少なくとも一部に含んでいることを特徴とする。
【００４３】
この考案によれば、前記フラワー部品を土台ベースに簡単に吸着させることができるので、立体的かつ綺麗なフラワーアレンジメントを簡単に作成することができる。また、生花を使わないので手を汚すことがなく何度でも繰り返し使え、さらに水の扱いも不要なため、場所を選ばずにフラワーアレンジメントを作成できる。また、フラワー部品を吸着させていく際に力を必要としないため、子供からお年寄りまで誰でも簡単にフラワーアレンジメントを作成することができる。
【００４４】
また、本考案にかかるフラワーアレンジメント作成キットは、前記フラワーアレンジメントの土台ベースと、前記フラワー部品の、いずれか一方には少なくとも一部分に面ファスナーが含まれており、他方には前記面ファスナーと吸着可能な面ファスナーを少なくとも一部に含んでいることを特徴とする。
【００４５】
この考案によれば、前記フラワー部品を土台ベースに簡単に吸着させることができるので、立体的かつ綺麗なフラワーアレンジメントを簡単に作成することができる。また、生花を使わないので手を汚すことがなく何度でも繰り返し使え、さらに水の扱いも不要なため、場所を選ばずにフラワーアレンジメントを作成できる。さらに、フラワー部品を土台ベースに吸着させていく際に力を必要としないため、子供からお年寄りまで誰でも簡単にフラワーアレンジメントを作成することができる。
【００４６】
また、本考案のフラワーアレンジメント作成キットは、前記フラワーアレンジメントの土台ベースと、前記フラワー部品の、少なくとも一方には、少なくとも一部に粘着テープ又はシールを含んでいることを特徴とする。
【００４７】
この考案によれば、前記フラワー部品を土台ベースに簡単に吸着させることができるので、立体的かつ綺麗なフラワーアレンジメントを簡単に作成することができる。また、生花を使わないので手を汚すことがなく何度でも繰り返し使え、さらに水の扱いも不要なため、場所を選ばずにフラワーアレンジメントを作成できる。さらに、フラワー部品を土台ベースに吸着させていく際に力を必要としないため、子供からお年寄りまで誰でも簡単にフラワーアレンジメントを作成することができる。
【図面の簡単な説明】
【００４８】
【図１】本考案の実施例１であるフワラーアレンジメント作成キットの概要を示す断面図。
【図２】本考案の実施例１であるフラワーアレンジメント作成キットの外観と部分断面図。
【図３】花、葉、茎その他植物を模した人工物又はブリザーブドフラワーその他の花材に吸着部材としてマグネットを取りつけたフラワー部品の外観斜視図。
【図４】本考案のバリエーションの実施例である土台ベースに指定マークを付したフラワーアレンジメント作成キットの概要を示す外観と部分断面図。
【図５】本考案のバリエーションの実施例である三日月型の軸に針金ワイヤーを巻き付けたものを土台ベースとしたフラワーアレンジメント作成キットの概要図。
【図６】本考案のバリエーションの実施例である三日月型の軸に網目状シートを巻き付けたものを土台ベースとしたフラワーアレンジメント作成キットの概要図。
【図７】本考案のバリエーションの実施例である四角錐型の軸に針金ワイヤーを巻き付けたものを土台ベースとしたフラワーアレンジメント作成キットの概要図。
【図８】本考案のバリエーションの実施例である四角錐型の軸に網目状シートを巻き付けたものを土台ベースとしたフラワーアレンジメント作成キットの概要図。
【考案を実施するための形態】
【００４９】
次に、本考案の実施形態例について図面を参照して詳細に説明する。
【００５０】
図１は本考案の実施例１であるフワラーアレンジメント作成キットの全体の概要を示す断面図を示し、図２は図１の部分断面図を示し、図３は、実施例１であるフワラーアレンジメント作成キットで使用される吸着部材としてマグネットを取り付けたフラワー部品の外観斜視図を示す。
【００５１】
図１の断面図において、器１は凹んだ形状になっており、器１の内側には複数の球体３が盛られていて、器１の上部には、マグネットを吸着する素材でお椀形に成形された薄いドーム形状の土台ベース２が被さるようにして載置されている。
本実施例では薄いドーム形状と説明したが、これは凹凸のある形状でも良いし平面でも良く、円錐や三角錐、四角錐でも良い。また素材もマグネットを吸着する素材のみで作成されたものだけでなく、マグネットを吸着する素材が部分的に含まれているものでも良いし、また、マグネット素材で作成した土台ベースでも良い。また、土台ベースには複数の穴を設けたパンチングメタルを使用しても良いし、穴を有しないものでも良いし、網目状の土台ベースでも良い。さらに、器１は窪んだ器形状以外にも、細長いコップ型、薄いお皿型、様々な形状の器を用いても良い。
【００５２】
器１の上面に覆われた土台ベース２には、図２に示すように、指定マーク８が付されている。指定マーク８は番号、記号、文字及びマークその他のランダムに付された位置情報を示す目印でも良いし、また、一定間隔に設けられたメモリや罫線でも良い。フラワー部品５にも指定マーク９が付されている。指定マーク９は土台ベースに付された指定マーク８と対応していたり、または、フラワーアレンジメント作成のための説明書に、どの座標に花材５を配置すべきか記載されていても良い。
【００５３】
フラワー部品５は、花びら６とマグネット７から成る。花材は造花に限定されるものではなく、ブリザーブドフラワーでも生花でも良く、また、花を模したもの以外にも葉や茎その他植物や、リボンその他の装飾物にマグネットを取り付けたものでも良い。
【００５４】
土台ベース２に配置するものは、前記フラワー部品５のほか、吸着部材を取り付けない葉や茎を模した人工物４を配置しても良い。葉や茎を模した人工物４は土台ベース２に設けられた穴や土台ベース２と器１との間隙から挿入し保持配置される。
【００５５】
フラワーアレンジメント作成に際しては、まず、土台ベース２に付された指定マーク８を確認して、フラワー部品５に付された指定マーク９を照合し対応した指定マーク９が付されたフラワー部品を探し出すか、指定マーク８にはどのフラワー部品５を配置すべきかを、説明書を参照して土台ベース２にフラワー部品５や葉や茎を模した人工物４を配置していく。
【００５６】
フラワー部品５に取り付けられた吸着部材のマグネット７は土台ベース２から容易に吸着または取り外しができるので、間違えたら何度でもやり直すことができ、フラワーアレンジメントが完成したら、全てのフラワー部品５を土台ベース２から取り外せば、また最初から、何度でも練習することができる。説明書を見ながら、フラワー部品５の組み合わせを替えた別のアレンジ作成を楽しむこともできる。生ゴミを出さず、手を汚さないので、近くにシンク設備がなくとも、どこで場所を選ばず、気軽にフラワーアレンジメントを作成することができる。
入院中の患者のリハビリ、気分転換にも良く、また、幼い子供に対し知育玩具のように用いることもできる。
【００５７】
図４は、本考案にかかるフラワーアレンジメント作成キットのバリエーションの実施例であり、土台ベース５に指定マーク８が付されたものである。指定マーク８がメモリのように刻まれており地番をつけられるので、フラワー部品５をどの部分に配置するかを地番により指定することができる。
図５は、本考案にかかるフラワーアレンジメント作成キットのバリエーションの実施例であり、土台ベースが三日月型土台１０の軸に針金ワイヤーを巻き付けたものである。図６は三日月型土台１０の軸に網目状のシートを巻き付けたものである。
【００５８】
図７は、本考案にかかるフラワーアレンジメント作成キットのバリエーションの実施例であり、土台ベースが四角錐型土台１１の軸に針金ワイヤーを巻き付けたものであり、図８は四角錐型土台１１の軸に網目状のシートを巻き付けたものである。
図５から図８におけるバリエーションの実施例の針金ワイヤー又は網目状シートには初心者用には指定マークを付しても良いし、何度も練習を重ねてコツがつかめてきたら、指定マークを付さないものを用いてフラワーアレンジメントを自由に作成するようにしても良い。
【符号の説明】
【００５９】
１  器
２  土台ベース
３  球体
４  花と茎を模した人工物
５  フラワー部品
６  花びら
７  マグネット
８  指定マーク
９  指定マーク
１０  三日月型土台
１１  四角錐型土台
１２  針金
１３  網目状シート
【図３】
0003178410.tif 000003
【図５】
0003178410.tif 000004
【図６】
0003178410.tif 000005
【図７】
0003178410.tif 000006
【図８】
0003178410.tif 000007
【図１】
0003178410.tif 000008
【図２】
0003178410.tif 000009
【図４】
0003178410.tif 000010